(57)【要約】【課題】  調整機能を有するキーボード及びコンピューターシステムを提供する。【解決手段】  本発明のキーボード１３は、ホスト装置内の放熱ユニットの放熱効率を調整するために用いられる調整機能を有する。キーボード１３は、異なる状態に切換えられるスイッチングユニット１３１と、スイッチングユニット１３１の状態に基づいて、制御信号を発生する制御ユニットと、制御信号をホスト装置に送ることによって、ホスト装置は制御信号に基づいて、放熱ユニットの放熱効率を調整する通信ポートとを備える。【選択図】  図２
2012181758.tif 000002
【特許請求の範囲】
【請求項１】
ホスト装置内の放熱ユニットの放熱効率を調整するために用いられる調整機能を有するキーボードであって、
異なる状態に切換えられるスイッチングユニットと、
前記スイッチングユニットの状態に基づいて、制御信号を発生する制御ユニットと、
前記ホスト装置に前記制御信号を送信する通信ポートとを備え、
前記ホスト装置より送信される前記制御信号に基づいて、前記放熱ユニットの放熱効率を調整することを特徴とする調整機能を有するキーボード。
【請求項２】
表示パネルを更に含み、
前記ホスト装置は前記通信ポートを介して、温度情報を前記制御ユニットに送り、前記制御ユニットは前記温度情報に基づいて、前記表示パネルを制御することによって、前記ホスト装置の温度を前記表示パネルに表すことを特徴とする請求項１に記載の調整機能を有するキーボード。
【請求項３】
前記ホスト装置は前記通信ポートを介して、放熱情報を前記制御ユニットに送り、前記制御ユニットは前記放熱情報に基づいて、前記表示パネルを制御することによって、前記放熱ユニットの放熱効率を前記表示パネルに表すことを特徴とする請求項２に記載の調整機能を有するキーボード。
【請求項４】
前記制御ユニットはパルス幅変調集積回路を有し、前記制御信号はパルス幅変調信号であることを特徴とする請求項１乃至請求項３に記載の調整機能を有するキーボード。
【請求項５】
前記スイッチングユニットはアナログスイッチ、或いはデジタルスイッチを有することを特徴とする請求項１乃至請求項４に記載の調整機能を有するキーボード。
【請求項６】
前記アナログスイッチは回転ノブとディップスイッチとボタンのいずれか一つであることを特徴とする請求項５に記載の調整機能を有するキーボード。
【請求項７】
前記デジタルスイッチはタッチパネルであることを特徴とする請求項５に記載の調整機能を有するキーボード。
【請求項８】
放熱ユニットを有するホスト装置と、
スイッチングユニットを有するキーボードと、
前記スイッチングユニットの状態に基づいて、制御信号を発生し、前記ホスト装置は前記制御信号に基づいて、前記放熱ユニットの放熱効率を調整する制御ユニットと、を含むことを特徴とするコンピューターシステム。
【請求項９】
前記制御ユニットは前記キーボードの中に統合することを特徴とする請求項８に記載のコンピューターシステム。
【請求項１０】
前記ホスト装置の温度を表すために用いられる表示パネルを更に含むことを特徴とする請求項８又は請求項９に記載のコンピューターシステム。
【請求項１１】
前記表示パネルは前記放熱ユニットの放熱効率を更に表すことができることを特徴とする請求項１０に記載のコンピューターシステム。
【請求項１２】
前記表示パネルは前記キーボードの中に統合することを特徴とする請求項１０又は請求項１１に記載のコンピューターシステム。
【請求項１３】
前記制御ユニットはパルス幅変調集積回路を有し、前記制御信号はパルス幅変調信号であることを特徴とする請求項８乃至請求項１２に記載のコンピューターシステム。
【発明の詳細な説明】
【技術分野】
【０００１】
本発明は、周辺装置に関し、特に、ホスト装置内部の放熱装置の放熱効率を制御できるキーボードに関するものである。
【背景技術】
【０００２】
科学技術の進歩につれ、パーソナルコンピューターの普及性がますます高くなったが、パーソナルコンピューターのホスト装置は通常、密閉式である。ホスト装置が作動する時、ホスト装置内部の部材が熱を発することによって、ホスト装置内部の温度が上がる。ホスト装置内部の温度が高すぎる時、クラッシュが発生し易い。
【０００３】
温度上昇の問題を克服するために、一般的なやり方は、ホスト装置内部に放熱ユニットを設置する。しかし、放熱ユニットの制御は難しいものである。放熱ユニットの放熱効率を調整するために、ユーザーは特定のアプリケーションソフトウェアを使用しなければならない可能性がある。即時に熱エネルギーを排出できないことで、クラッシュを引起す可能性がある。
【発明の概要】
【発明が解決しようとする課題】
【０００４】
本発明の目的は、調整機能を有するキーボード及びコンピューターシステムを提供する。
【課題を解決するための手段】
【０００５】
本発明は、ホスト装置内の放熱ユニットの放熱効率を調整するために用いられる調整機能を有するキーボードを提供する。本発明のキーボードは、異なる状態に切換えられるスイッチングユニットと、スイッチングユニットの状態に基づいて、制御信号を発生する制御ユニットと、制御信号をホスト装置に送ることによって、ホスト装置は制御信号に基づいて、放熱ユニットの放熱効率を調整する通信ポートとを含む。
【０００６】
本発明は、もう一つのコンピューターシステムを提供する。本発明のコンピューターシステムは、放熱ユニットを有するホスト装置と、スイッチングユニットを有するキーボード、及びスイッチングユニットの状態に基づいて、制御信号を発生する制御ユニットを含む。ホスト装置は制御信号に基づいて、放熱ユニットの放熱効率を調整する。
【発明の効果】
【０００７】
本発明のキーボード及びコンピューターシステムによれば、ユーザーは位置を移動しない状態で、キーボードによって、ホスト装置内部の放熱部材の放熱効率を調整することができる。故に、ホスト装置の放熱効率を即時に調整できることによって、ホスト装置の温度が高すぎてクラッシュを引き起こすのを避けることができ、且つホスト装置の電力消費を適当に減少することができる。よって、便利性を大幅に高めることができる。
【図面の簡単な説明】
【０００８】
【図１】本発明のコンピューのターシステムを示す概略図である。
【図２】本発明のキーボード外観を示す実施可能例である。
【図３】本発明のコンピューターシステムのブロック図である。
【発明を実施するための形態】
【０００９】
本発明についての目的、特徴、長所が一層明確に理解されるよう、以下に実施形態を例示し、図面を参照にしながら、詳細に説明する。
【実施例】
【００１０】
図１は本発明のコンピューターシステムの概略図である。図に示すように、コンピューターシステム１０は、放熱ユニット１１１を有するホスト装置１１と、キーボード１３と、制御ユニット１５、及びモニター１７を含む。本実施例において、放熱ユニット１１１は少なくとも一つの放熱部材を含む。各放熱部材は、異なる電子部材により発生される熱エネルギーを放出することができる。本発明は放熱部材の種類を限定しない。幾つかの実施例において、放熱部材はアクティブ放熱部材であり、例えば、ファン、またはウォータークーラーである。
【００１１】
本実施例において、キーボード１３は放熱ユニット１１１の放熱効率を調整するために用いられるスイッチングユニット１３１を有する。よって、ホスト装置１１内部の熱エネルギーを即時に排出することができる。一つの実施可能例において、スイッチングユニット１３１は少なくとも一つのアナログスイッチ、及び／或いは少なくとも一つのデジタルスイッチを有する。本発明はアナログスイッチ、及びデジタルスイッチの種類を限定しない。アナログスイッチは多段回転ノブ（turning knob）と、ディップスイッチ（DIP switch）と、ボタンを含む。デジタルスイッチはタッチパネルを含む。
【００１２】
制御ユニット１５はキーボード１３とホスト装置１１の間を連結し、スイッチングユニット１３１の状態に基づいて、制御信号を発生するために用いられる。接続線（connecting line）１９１は制御信号をホスト装置１１に送る。ホスト装置１１は制御信号に基づいて、放熱ユニット１１１の放熱効率を調整する。
【００１３】
例えば、ホスト装置１１内部の温度が上昇した時、ユーザーはスイッチングユニット１３１の状態を調整することによって、放熱ユニット１１１の放熱効率を高めることで、ホスト装置１１内部の熱エネルギーを即時に放出することができる。逆に、ホスト装置１１内部の温度が下がった時、ユーザーはスイッチングユニット１３１の状態を調整することによって、放熱ユニット１１１の放熱効率を下げることで、放熱ユニット１１１の電力消費を減少させることができる。一例として放熱部材がファンである場合、ホスト装置１１内の温度が高いとき、ファンの回転数を上げて放熱効率を高めることにより、ホスト装置１１内の温度を下げ、ホスト装置１１内の温度が適温であるとき、ファンの回転数を下げて、放熱効率を低くする。
【００１４】
本実施例において、ホスト装置１１は温度を監視する機能を有する。ユーザーはバイオス基本入出力システム（BIOS）、またはオペレーティングシステム（OS）の特定のアプリケーションソフトウェアによって、ホスト装置１１の現在の内部温度を知ることができる。一つの実施可能例において、ホスト装置１１の現在の内部温度をモニター１７によって表すことができる。もう一つの実施可能例において、キーボード１３に表示パネルを設けることで、ホスト装置１１の現在の内部温度及び／或いは放熱ユニット１１１の稼働状態を表す。
【００１５】
本実施例において、制御ユニット１５はパルス幅変調集積回路（pulse-width modulated integrated circuit、PWMIC）を有する。よって、制御ユニット１５により発生する制御信号はパルス幅変調信号である。図１において、制御ユニット１５はキーボード１３の外に独立に設置する。もう一つの実施可能例において、制御ユニット１５はキーボード１３の中に統合することができる。この場合、キーボード１３と制御ユニット１５の間の接続線１９２を省略することができる。
【００１６】
図２は、本発明のキーボードの外観の実施可能例である。本実施例において、スイッチングユニット１３１は、スイッチ２１１、２１２を有する。スイッチ２１１は放熱ユニット１１１のある一つの放熱部材を選択するために用いられる。例えば、ホスト装置１１内部の放熱ユニット１１１が複数の放熱部材を有する時、スイッチ２１１によって、ある一つの放熱部材を選択して、放熱効率を調整することができる。逆に、全ての放熱部材の効率を個別に制御しない場合は、スイッチ２１１を省略することができる。
【００１７】
スイッチ２１２は特定の放熱部材の放熱効率を調整するために用いられる。スイッチ２１１がある一つの放熱部材を選択した後、スイッチ２１２によって、選択された放熱部材の放熱効率を調整することができる。もう一つの実施可能例において、スイッチ２１１を省略することができる。この場合、スイッチ２１２によって、全ての放熱部材の放熱効率を調整することができる。
【００１８】
本実施例において、スイッチ２１１、２１２はいずれも多段回転ノブ（turning knob）であるが、本発明を制限するものではない。その他の実施例において、スイッチ２１１、２１２は異なる種類のスイッチである。
【００１９】
本実施例において、キーボード１３は表示パネル２２０を更に含む。表示パネル２２０は放熱部材（例えば、ファン１、ファン２）の放熱効率を表すことができる。その他の実施例において、表示パネル２２０はホスト装置１１の内部の温度を更に表すことで、ユーザーが放熱部材の放熱効率を適時に調整することによって、ホスト装置１１の内部の温度があまり高くなるのを避けることができる。
【００２０】
本実施例において、ユーザーはスイッチ２１１、２１２によって、特定の放熱部材を選択、且つ調整することができる。その他の実施例において、ユーザーは表示パネル２２０によって、特定の放熱部材を選択、且つ調整することができる。例えば、表示パネル２２０はタッチパネルである。ユーザーは表示パネル２２０をタッチすることによって、ある一つの放熱部材を選択し、且つ選択された放熱部材の効率を調整することができる。
【００２１】
その他の実施例において、スイッチングユニット１３１は放熱ユニット１１１の放熱効率を調整できる以外に、スイッチングユニット１３１はスイッチング機能を更に提供することができ、一つの実施可能例において、スイッチングユニット１３１はモードスイッチ（図示せず）を有する。モードスイッチが手動状態に切換えられた時、ホスト装置１１は制御ユニット１５に出力された制御信号に基づいて、放熱ユニット１１１の放熱効率を調整する。モードスイッチが自動状態に切換えられた時、ホスト装置１１は放熱ユニット１１１の放熱効率を自動調整する。
【００２２】
もう一つの実施可能例において、スイッチ２１１は放熱部材を選択できる以外に、放熱ユニット１１１の放熱効率の調整を手動または自動で調整することを更に選択することができる。例えば、スイッチ２１１を自動状態に切換えた時、ホスト装置１１内部の制御器（図示せず）により放熱ユニット１１１の放熱効率を調整する。スイッチ２１１が自動状態から離れた時、ホスト装置１１は制御ユニット１５の出力信号に基づいて、放熱ユニット１１１の放熱効率を調整する。
【００２３】
図３は本発明のコンピューターシステムのブロック図である。本実施例において、制御ユニット１５はキーボード１３の中に統合するが、本発明を制限するものではない。その他の実施例において、制御ユニット１５はキーボード１３の外に独立に設置することができる。図に示すように、キーボード１３は、スイッチングユニット１３１と、表示パネル１３２と、制御ユニット１５、１３３、及び通信ポート１３４を有する。
【００２４】
制御ユニット１３３は、キーボードコントローラ（keyboard controller, ＫＢＣ）を有し、押されたキーに対応する信号をホスト装置１１に送るために用いられる。キーボードコントローラの作動原理は当業者によく知られているので、ここで繰り返して述べない。
【００２５】
制御ユニット１５はスイッチングユニット１３１の切換状態に基づいて、制御信号Ｓｃを発生する。通信ポート１３４は制御信号Ｓｃをホスト装置１１に送る。ホスト装置１１は制御信号Ｓｃに基づいて、放熱ユニット１１１の放熱効率を調整する。また、通信ポート１３４は制御ユニット１３３より出力されたキー情報をホスト装置１１に送る。
【００２６】
表示パネル１３２は、ホスト装置１１内部の温度を表すことができる。本実施例において、ホスト装置１１は通信ポート１３４を通って、温度情報ＳＴを制御ユニット１５に送る。制御ユニット１５は温度情報ＳＴに基づいて、表示パネル１３２を制御することによって、ホスト装置１１の温度を表示パネル１３２に表す。
【００２７】
その他の実施例において、ホスト装置１１は通信ポート１３４を通って、放熱ユニット１１１の放熱効率を制御ユニット１５に提供する。制御ユニット１５は表示パネル１３２を制御することによって、放熱ユニット１１１の放熱効率を表示パネル１３２に表す。しかし、表示パネル１３２は決して必要ではない。その他の実施例において、その他の表示装置（例えば、モニター）によって、ホスト装置１１の温度、または放熱ユニット１１１の放熱効率を表すことができる。
【００２８】
ユーザーは体を移動せずに、キーボードによって、ホスト装置内部の放熱部材の放熱効率を調整することができる。故に、ホスト装置の放熱効率を即時に調整できることによって、ホスト装置の温度が高すぎてクラッシュを引き起こすのを避けることができ、且つホスト装置の電力消費を適当に減少することができる。よって、便利性を大幅に高めることができる。
【００２９】
以上、本発明の好適な実施例を例示したが、これは本発明を限定するものではなく、本発明の精神及び範囲を逸脱しない限りにおいては、当業者であれば行い得る少々の変更や修飾を付加することが可能である。従って、本発明が請求する保護範囲は、特許請求の範囲を基準とする。
【符号の説明】
【００３０】
１０  コンピューターシステム
１１  ホスト装置
１３  キーボード
１５、１３３  制御ユニット
１７  モニター
１９１、１９２  接続線
２１１、２１２  スイッチ
１３２、２２０  表示パネル
１３４  通信ポート
【図１】
2012181758.tif 000003
【図２】
2012181758.tif 000004
【図３】
2012181758.tif 000005